(57)【要約】【課題】ユーザの操作又は重力により、光源の照射角度及び照射範囲を調整することができる可撓式ＬＥＤ照明構造を提供する。【解決手段】可撓式ＬＥＤ照明構造は、放熱部材２０、ベース４０、少なくとも１つの可撓性体３０及びＬＥＤモジュール５０を備える。放熱部材２０は、第１の本体２０１、放熱部２０２及び導電部２０３を有し、導電部２０３は、第１の本体２０１の端部に設けられる。ベース４０は、導熱部４０１、導熱面４０２及び接続面４０３を有し、ベース４０は、第１の本体２０１上に接合される。少なくとも１つの可撓性体３０は、固定部３０１と、延伸部３０２と、延伸部３０２の端部から固定部３０１と反対側の方向に延伸する装着部３０３とを有し、固定部３０１は、接続面４０３に接合される。ＬＥＤモジュール５０は、装着部３０３に装着され、回路基板５０１及び少なくとも１つのＬＥＤ５０２を有する。【選択図】図２
0003171673.tif 000002
【実用新案登録請求の範囲】
【請求項１】
放熱部材、ベース、少なくとも１つの可撓性体及びＬＥＤモジュールを備える可撓式ＬＥＤ照明構造であって、
前記放熱部材は、第１の本体、放熱部及び導電部を有し、前記導電部は、前記第１の本体の端部に設けられ、
前記ベースは、導熱部、導熱面及び接続面を有し、前記第１の本体上に接合され、
前記少なくとも１つの可撓性体は、固定部と、延伸部と、前記延伸部の端部から前記固定部と反対側の方向に延伸する装着部と、を有し、前記固定部は、前記接続面に接合され、
前記ＬＥＤモジュールは、前記装着部に装着され、回路基板及び少なくとも１つのＬＥＤを有し、前記少なくとも１つのＬＥＤは、前記回路基板の実装面に固着されることを特徴とする可撓式ＬＥＤ照明構造。
【請求項２】
前記装着部は、第１の側部、第２の側部、第３の側部及び第４の側部を有し、
前記第１の側部、前記第２の側部、前記第３の側部及び前記第４の側部が互いに接続されることにより、収容空間が画定されることを特徴とする請求項１に記載の可撓式ＬＥＤ照明構造。
【請求項３】
前記放熱部は、前記第１の本体の外側に環状に設けられる複数のねじ山を有することを特徴とする請求項１に記載の可撓式ＬＥＤ照明構造。
【請求項４】
前記導熱面は、前記ベースの一方の端面に設けられる上、前記第１の本体に接続され、前記接続面は、前記ベースの前記導熱面と反対側の他方の端面に設けられる上、前記固定部が対向接続されることを特徴とする請求項１に記載の可撓式ＬＥＤ照明構造。
【請求項５】
前記ＬＥＤモジュールは、前記収容空間に配置されることを特徴とする請求項２に記載の可撓式ＬＥＤ照明構造。
【請求項６】
前記収容空間は矩形状であることを特徴とする請求項２に記載の可撓式ＬＥＤ照明構造。
【請求項７】
前記収容空間は、円形状又は他の幾何学形状であることを特徴とする請求項２に記載の可撓式ＬＥＤ照明構造。
【請求項８】
前記放熱部材に対向接続されるグローブをさらに備え、前記グローブは、前記可撓性体、前記ベース及び前記ＬＥＤモジュール上に覆設されることを特徴とする請求項１に記載の可撓式ＬＥＤ照明構造。
【請求項９】
前記可撓性体は、ゴム材料、プラスチック材料又は金属材料からなることを特徴とする請求項１に記載の可撓式ＬＥＤ照明構造。
【考案の詳細な説明】
【技術分野】
【０００１】
本考案は、可撓式ＬＥＤ照明構造に関し、特に、ランプと発光部材との連結部材として可撓性体を用いることにより、ユーザの操作又は重力により、光源の照射角度及び照射範囲を調整することができる可撓式ＬＥＤ照明構造に関する。
【背景技術】
【０００２】
科学技術の進歩に伴い、照明製品の光源として、従来の電球に代わり、すでに、発光ダイオード（以下「ＬＥＤ」という）が使用されている。ＬＥＤは、体積が小さく、消費電力が少なく、発光効率が高く、寿命が長く、水銀汚染が発生しないなどの長所を有するため、現在、多くの照明製品に採用されている。現在、市場には各種形状の照明装置が存在する。各種形状の照明装置中、電球形ランプは、タングステン電球が使用される電球形ランプと、ＬＥＤが使用される電球形ランプと、に分類される。ここで、本考案はＬＥＤが使用される電球形ランプに関する。
【０００３】
図１を参照する。図１に示すように、従来のＬＥＤを光源とする電球形ランプは、グローブ１０、ソケット１１、回路基板１２及び複数のＬＥＤ１３を含む。
【０００４】
ソケット１１は、第１の本体１１１、放熱部１１２及び導電部１１３を有する。
【０００５】
放熱部１１２は、第１の本体１１１の外側に設けられる。導電部１１３は、第１の本体１１１の一方の端部に設けられる。導電部１１３は、放熱部１１２に接続される。回路基板１２は、第１の本体１１１上において、導電部１１３と反対側の他方の端部に直立状態で挿設される。回路基板１２の側面には、複数のＬＥＤ１３が配置される。
【０００６】
ＬＥＤ１３から放出される光束は、指向性を有し、発光方向は、半球状を呈する。また、ＬＥＤ１３の照射角度は、約２０度である。そのため、ＬＥＤ１３の輝度は、放出される光線が直射される正面方向が最も高い。しかし、ＬＥＤ１３の側面は、輝度が低い。従来の電球形ランプの回路基板１２は、第１の本体１１１上に直接直立状態で固定されるため、ＬＥＤ１３の照射方向を任意に変更させることができず、必要に応じて光源の調整することができない。従って、従来のＬＥＤを光源とする電球形ランプは、使用範囲が限定される。
【０００７】
即ち、従来のＬＥＤ照明構造は、以下（１）〜（３）に示す欠点を有する。
【０００８】
（１）光源の照射方向を任意に変更できない。
【０００９】
（２）使用範囲が限定される。
【００１０】
（３）使用上、不便である。
【先行技術文献】
【特許文献】
【００１１】
【特許文献１】特開２０１１−１４６２５３号公報
【考案の概要】
【考案が解決しようとする課題】
【００１２】
本考案の目的は、ユーザの操作又は重力により、光源の照射角度及び照射範囲を調整することができる可撓式ＬＥＤ照明構造を提供することにある。
【課題を解決するための手段】
【００１３】
上記課題を解決するために、本考案の第１の形態によれば、放熱部材、ベース、少なくとも１つの可撓性体及びＬＥＤモジュールを備える可撓式ＬＥＤ照明構造であって、前記放熱部材は、第１の本体、放熱部及び導電部を有し、前記導電部は、前記第１の本体の端部に設けられ、前記ベースは、導熱部、導熱面及び接続面を有し、前記第１の本体上に接合され、前記少なくとも１つの可撓性体は、固定部と、延伸部と、前記延伸部の端部から前記固定部と反対側の方向に延伸する装着部と、を有し、前記固定部は、前記接続面に接合され、前記ＬＥＤモジュールは、前記装着部に装着され、回路基板及び少なくとも１つのＬＥＤを有し、前記少なくとも１つのＬＥＤは、前記回路基板の実装面に固着されることを特徴とする可撓式ＬＥＤ照明構造が提供される。
【００１４】
また、前記装着部は、第１の側部、第２の側部、第３の側部及び第４の側部を有し、前記第１の側部、前記第２の側部、前記第３の側部及び前記第４の側部が互いに接続されることにより、収容空間が画定されることが好ましい。
【００１５】
また、前記放熱部は、前記第１の本体の外側に環状に設けられる複数のねじ山を有することが好ましい。
【００１６】
また、前記導熱面は、前記ベースの一方の側面に設けられる上、前記第１の本体に接続され、前記接続面は、前記ベースの前記導熱面と反対側の他方の側面に設けられる上、前記固定部が対向接続されることが好ましい。
【００１７】
また、前記ＬＥＤモジュールは、前記収容空間に配置されることが好ましい。
【００１８】
また、前記収容空間は矩形状であることが好ましい。
【００１９】
また、前記収容空間状は、円形状又は他の幾何学形状であることが好ましい。
【００２０】
また、前記放熱部材に対向接続されるグローブをさらに備え、前記グローブは、前記可撓性体、前記ベース及び前記ＬＥＤモジュール上に覆設されることが好ましい。
【００２１】
また、前記可撓性体は、ゴム材料、プラスチック材料又は金属材料からなることが好ましい。
【考案の効果】
【００２２】
本考案の可撓式ＬＥＤ照明構造は、必要に応じ、ユーザが光源の照射方向及び照射角度を操作して調整することができる。或いは、重力によって可撓性体が自然に下方に湾曲することにより、光源が下方を照射することができる。これにより、使用上の利便性を大幅に高めることができる。
【図面の簡単な説明】
【００２３】
【図１】従来の電球形ＬＥＤランプを示す分解斜視図である。
【図２】本考案の第１実施形態による可撓式ＬＥＤ照明構造を示す分解斜視図である。
【図３】本考案の第１実施形態による可撓式ＬＥＤ照明構造を示す斜視図である。
【図４】本考案の第２実施形態による可撓式ＬＥＤ照明構造を示す斜視図である。
【図５】本考案の第３実施形態による可撓式ＬＥＤ照明構造を示す分解斜視図である。
【図６】本考案の第３実施形態による可撓式ＬＥＤ照明構造を示す斜視図である。
【図７】本考案の第４実施形態による可撓式ＬＥＤ照明構造を示す側面図である。
【図８】本考案の第４実施形態による可撓式ＬＥＤ照明構造を示す斜視図である。
【図９】本考案の第５実施形態による可撓式ＬＥＤ照明構造を示す側面図である。
【図１０】本考案の第６実施形態による可撓式ＬＥＤ照明構造を示す斜視図である。
【図１１】本考案の第６実施形態による可撓式ＬＥＤ照明構造を示す斜視図である。
【考案を実施するための形態】
【００２４】
以下、本考案の実施形態について図に基づいて説明する。なお、これによって本考案が限定されるものではない。
【００２５】
（第１実施形態）
図２及び図３を参照する。図２及び図３に示すように、本考案の第１実施形態による可撓式ＬＥＤ照明構造は、放熱部材２０、少なくとも１つの可撓性体３０、ベース４０及びＬＥＤモジュール５０を含む。
【００２６】
放熱部材２０は、第１の本体２０１、放熱部２０２及び導電部２０３を有する。導電部２０３は、第１の本体２０１の端部に設けられる。
【００２７】
ベース４０は、導熱部４０１、導熱面４０２及び接続面４０３を有する。ベース４０は、第１の本体２０１上に接続される。
【００２８】
可撓性体３０は、固定部３０１と、延伸部３０２と、延伸部３０２の端部から固定部３０１と反対方向に延伸する装着部３０３と、を有する。固定部３０１は、接続面４０３に接合される。導熱面４０２は、ベース４０の一方の端面に設けられる上、第１の本体２０１に接続される。接続面４０３は、ベース４０の導熱面４０２と反対側の他方の端面に設けられる上、固定部３０１が対向接続される。
【００２９】
可撓性体３０は、ゴム材料、プラスチック材料又は金属材料からなる。
【００３０】
可撓性体３０は、固定部３０１、延伸部３０２及び装着部３０３を含む。固定部３０１、延伸部３０２及び装着部３０３は、何れも可撓性を有するため、重力の方向が変更されたとき、固定部３０１、延伸部３０２及び装着部３０３は、重力の方向に湾曲する。これにより、ＬＥＤの照射方向を変更することができるため、可撓式ＬＥＤ照明構造の使用範囲を広げることができる。
【００３１】
装着部３０３は、第１の側部３０３１、第２の側部３０３２、第３の側部３０３３及び第４の側部３０３４を有する。第１の側部３０３１、第２の側部３０３２、第３の側部３０３３及び第４の側部３０３４が互いに接続されることにより、収容空間３０３５が画定される。収容空間３０３５の形状は、矩形、円形又は他の幾何学形状である。本考案の第１実施形態においては、矩形を例示して説明を行うが、これのみに限定されるわけではない。
【００３２】
ＬＥＤモジュール５０は、装着部３０３に装着される。ＬＥＤモジュール５０は、回路基板５０１及び少なくとも１つのＬＥＤ５０２を有する。少なくとも１つのＬＥＤ５０２は、回路基板５０１の実装面に固着される。ＬＥＤモジュール５０は、収容空間３０３５内に配置される。
【００３３】
（第２実施形態）
図４を参照する。図４に示すように、本考案の第２実施形態による可撓式ＬＥＤ照明構造は、第１実施形態による可撓式ＬＥＤ照明構造と一部構造及び接続関係が同一であるため、同一部分は、ここでは繰り返して述べない。本考案の第２実施形態による可撓式ＬＥＤ照明構造は、放熱部２０２に複数のねじ山が設けられる点が第１実施形態と異なる。複数のねじ山は、第１の本体２０１の外側に環状に設けられる。
【００３４】
（第３実施形態）
図５及び図６を参照する。図５及び図６に示すように、本考案の第３実施形態による可撓式ＬＥＤ照明構造は、第１実施形態による可撓式ＬＥＤ照明構造と一部構造及び接続関係が同一であるため、同一部分についてはここでは繰り返して述べない。本考案の第３実施形態による可撓式ＬＥＤ照明構造は、グローブ６０をさらに含む点が第１実施形態と異なる。グローブ６０は、放熱部材２０に対向接続される上、可撓性体３０、ベース４０及びＬＥＤモジュール５０上に覆設される。これにより、可撓性体３０及びベース４０を保護して損壊率を低下させることができる上、可撓式ＬＥＤ照明構造の寿命を延ばすことができる。
【００３５】
（第４実施形態）
図７及び図８を参照する。図７及び図８に示すように、本考案の第４実施形態において、可撓式ＬＥＤ照明構造は、壁面８０又は天井板７０に設置されている。このとき、可撓性体３０は、可撓性を有するため、重力により、地面の方向に徐々に湾曲する。これにより、光源の照射方向は、仮に地面と平行な方向に指向されていたとしても、地面の方向に変更される。これにより、本考案の可撓式ＬＥＤ照明構造は、天井板７０上又は壁面８０上に設置する場合、ＬＥＤ照明構造を変更したり、増設したりする必要がないため、使用範囲が広い。
【００３６】
（第５実施形態）
図９を参照する。図９に示すように、本考案の第５実施形態による可撓式ＬＥＤ照明構造は、前述の他の実施形態による可撓式ＬＥＤ照明構造と一部構造及び部材間の対応関係が同一であるため、同一部分については、ここでは繰り返して述べない。本考案の第５実施形態による可撓式ＬＥＤ照明構造においては、可撓性体３０が可撓性を有するため、ユーザが光源の照射方向を変更したい場合、光源が必要な方向に可撓性体３０を直接湾曲させればよい。即ち、ユーザの必要に応じ、光源の照射方向を任意に変更することができるため、可撓式ＬＥＤ照明構造の使用範囲を広げることができ、ユーザに高い利便性を提供することができる。
【００３７】
本考案の可撓性体３０を構成する固定部３０１、延伸部３０２及び装着部３０３は、何れも可撓性を有するため、光源の照射方向を任意に変更することができる。これにより、可撓式ＬＥＤ照明構造の使用範囲を広げることができる。即ち、従来のＬＥＤ照明構造における、光源の照射方向を任意に変更できないという欠点を改善することができる。
【００３８】
（第６実施形態）
図１０及び図１１を参照する。図１０及び図１１に示すように、本考案の第６実施形態においては、ユーザの必要に応じ、可撓性体３０の数を変更することができる。例えば、ユーザが光源を暗くしたい場合、接続面４０３に少数の可撓性体３０を配置すればよい（図１０参照）。これにより、可撓式ＬＥＤ照明構造の輝度が低くなる。反対に、ユーザが光源を明るくしたい場合、接続面４０３に多数の可撓性体３０を配置すればよい（図１１参照）。これにより、可撓式ＬＥＤ照明構造の輝度が高くなる。上述したように、可撓性体３０の数を調整することにより、光源の輝度を変更することができる。
【００３９】
従来のＬＥＤ照明構造と比較して本考案の可撓式ＬＥＤ照明構造は、以下（１）〜（３）に示す長所を有する。
【００４０】
（１）光源の照射方向を任意に変更できる。
【００４１】
（２）使用上の利便性が高い。
【００４２】
（３）使用上の不便性を低減できる。
【００４３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００４４】
２０  放熱部材
３０  可撓性体
４０  ベース
５０  ＬＥＤモジュール
６０  グローブ
７０  天井板
８０  壁面
２０１  第１の本体
２０２  放熱部
２０３  導電部
３０１  固定部
３０２  延伸部
３０３  装着部
４０１  導熱部
４０２  導熱面
４０３  接続面
５０１  回路基板
５０２  ＬＥＤ
３０３１  第１の側部
３０３２  第２の側部
３０３３  第３の側部
３０３４  第４の側部
３０３５  収容空間
【図１】
0003171673.tif 000003
【図２】
0003171673.tif 000004
【図３】
0003171673.tif 000005
【図４】
0003171673.tif 000006
【図５】
0003171673.tif 000007
【図６】
0003171673.tif 000008
【図７】
0003171673.tif 000009
【図８】
0003171673.tif 000010
【図９】
0003171673.tif 000011
【図１０】
0003171673.tif 000012
【図１１】
0003171673.tif 000013